(57)【特許請求の範囲】
【請求項１】
顧客が着座する椅子と、
この椅子から視認可能な箇所に配置され、かつ他の顧客との仕切りを構成する間仕切り壁と、
この間仕切り壁の後壁面に設置され、遠隔の車検整備工場へ指示を送信しまたは車検整備工場の映像を表示することができるディスプレイを有する顧客用端末とからなる顧客待機ユニットを直列に複数組配置した車検顧客待合設備であって、
上記椅子を後ろ隣りの上記顧客待機ユニットの上記間仕切り壁に近接させて据え付け、
上記間仕切り壁によって上記椅子に着座した顧客から前隣りの上記顧客待機ユニットの上記ディスプレイを遮蔽するとともに、
上記間仕切り壁の内部に上記顧客用端末を収容し、その前壁面に上記顧客用端末を出し入れする開口または扉を設け、
かつ、上記椅子をこの開口または扉に近接させて配置することを特徴とする車検顧客待合設備。
【発明の詳細な説明】
【技術分野】
【０００１】
本発明は、車検などにおける自動車の点検に際して、顧客が待機する車検顧客待合設備に関する。
【背景技術】
【０００２】
従来、道路運送車両法による車両検査（車検）やその他の定期検査を行う場合には、車両整備業者が、顧客から車両を預かり、代車を引き渡した上で、数日かけて行われていた。しかし、このような方法では、車検に長時間を要するという問題があるとともに、顧客には車検の様子を知ることができず、不当な部品交換が行われているという疑念が生じることがあった。
そこで、即時に顧客に車の整備状況を確認させる透明性の高い立会い車検が注目を集めるようになった。しかし、長時間に亘り顧客を店舗内で待たせる訳にはいかず、作業時間短縮のために、人件費は増加するものの、整備士の人数を増やして分業させるなどして、数十分から数時間で車検を完了させる方法が一般的に行われるようになった。
【０００３】
顧客への透明性を向上させるために、特許文献１には、顧客を車検に立ち会わせることが記載されているが、車両の整備が行われている整備工場内に顧客を案内するのは危険であり、また、整備士に顧客への接客力が求められることとなっていた。
そこで、顧客用の待合室に顧客用端末を設置し、この顧客用端末と整備工場とを通信回線で接続することにより、待合室にいる顧客が顧客用端末のディスプレイに表示される整備工場の映像により整備箇所を確認するとともに、顧客用端末を操作して修理提案箇所等の作業意思の決定を直接車検整備工場へ送信できるようにした車両点検システムがあった（特許文献２）。
【０００４】
しかし、特許文献２の車両点検システムでは、顧客用端末を携帯できる小型端末とした場合には画面が小さすぎて素人である顧客が車両の整備箇所を確認しづらいという問題があった。他方、顧客用端末に大型のディスプレイを用いた場合には車両の故障情報等が他の顧客に知られてしまい、プライバシーが損なわれてしまうという問題があった。そのため、顧客用端末ごとに個室を設けることも考えられるが、設備が大掛かりになるとともに費用がかかるという問題があった。
【先行技術文献】
【特許文献】
【０００５】
【特許文献１】特開２００２−６３２９３号公報
【特許文献２】特開２００４−１７１３７８号公報
【発明の概要】
【発明が解決しようとする課題】
【０００６】
本発明は上記問題点を解決するためになされたものであり、顧客整備用端末の大型化を図るとともに顧客のプライバシーを保護することができる車検顧客待合設備を提供することを課題とする。
【課題を解決するための手段】
【０００７】
本発明において、上記課題が解決される手段は以下の通りである。
第１の発明は、顧客が着座する椅子と、この椅子から視認可能な箇所に配置され、かつ他の顧客との仕切りを構成する間仕切り壁と、この間仕切り壁の後壁面に設置され、遠隔の車検整備工場へ指示を送信しまたは車検整備工場の映像を表示することができるディスプレイを有する顧客用端末とからなる顧客待機ユニットを直列に複数組配置した車検顧客待合設備であって、上記椅子を後ろ隣りの上記顧客待機ユニットの上記間仕切り壁に近接させて据え付け、上記間仕切り壁によって上記椅子に着座した顧客から前隣りの上記顧客待機ユニットの上記ディスプレイを遮蔽することを特徴とする。
【０００８】
第２の発明は、上記間仕切り壁の内部に上記顧客用端末を収容し、その前壁面に上記顧客用端末を出し入れする開口または扉を設け、かつ、上記椅子をこの開口または扉に近接させて配置することを特徴とする。
【０００９】
第３の発明は、上記顧客用端末に２つのディスプレイを具備し、一方のディスプレイには顧客の指示入力用情報を表示し、他方のディスプレイには車両の情報を表示することを特徴とする。
【発明の効果】
【００１０】
第１の発明によれば、間仕切り壁の後壁面に設置され、遠隔で車検整備工場へ指示を送信しまたは車検整備工場の映像を表示することができる画面を有する顧客用端末を設けたことにより、大型の顧客用端末を用いる場合にも省スペース化することができる。
また、上記間仕切り壁によって上記椅子に着座した顧客から前隣りの上記顧客待機ユニットの顧客用端末を遮蔽することにより、顧客の車両に関する故障情報等を他の顧客に知られることを防止して、プライバシー保護を向上させることができる。
また、上記椅子を後ろ隣りの上記顧客待機ユニットの上記間仕切り壁に近接させて据え付けたことにより、省スペース化を図ることができる。
【００１１】
第２の発明によれば、上記間仕切り壁の内部に上記顧客用端末を収容することにより、顧客用端末を間仕切り壁によって保護することができる。
また、その前壁面に上記顧客用端末を出し入れする開口または扉を設け、かつ、上記椅子をこの開口または扉に近接させて配置することにより、顧客用端末のメンテナンスおよび交換を行うことができるとともに、扉または開口を椅子によって隠すことができて車検顧客待合設備の外観が損なわれるのを防止することができる。
【００１２】
第３の発明によれば、上記顧客用端末に２つのディスプレイを具備し、一方のディスプレイには顧客の指示入力用情報を表示し、他方のディスプレイには車両の情報を表示することにより、後者のディスプレイで部品交換を終えた箇所や部品交換が必要な箇所等の車両の情報を確認しながら、前者のディスプレイで車検整備工場への部品交換等の指示を入力することができる。
【図面の簡単な説明】
【００１３】
【図１】本発明の実施形態に係る車検顧客待合設備の斜視図である。
【図２】同車検顧客待合設備の一部切り欠き側方図である。
【発明を実施するための形態】
【００１４】
以下、本発明の実施形態に係る車検顧客待合設備について説明する。
この車検顧客待合設備１は、顧客の車両を車検整備工場で検査している間、顧客が待機スペースとして利用できるものであり、営業所等に設置される。顧客の安全のため、この車検顧客待合設備１は車検整備工場から隔てられた場所に設けられるのが好ましい。
【００１５】
図１に示すように、車検顧客待合設備１は、複数組の顧客が別々に待機できるように、複数の顧客待機ユニット２を直列に配置してなる。
顧客待機ユニット２は、一組の顧客が待機できる単位区画であって、顧客が着座する椅子３と、この椅子の前方に配置された間仕切り壁４と、この間仕切り壁４の後壁面に設置された顧客用端末５とからなる。車検顧客待合設備１の側部には、前後方向に延在する側壁７が設けられている。
車検顧客待合設備１は、顧客待機ユニット２を一列に並べたものには限定されず、通路を挟むなどして複数列に配置してもよい。
【００１６】
本実施形態では３人掛け用の椅子３を用いて、顧客が家族で楽しみ、ゆったりとくつろぐことのできる待機スペースを提供することを目的とする。
図２に示すように、この椅子３は、後ろ隣りの顧客待機ユニット２の間仕切り壁４の前壁面に近接させて据え付けられている。
【００１７】
椅子３の前方に配置した間仕切り壁４には顧客用端末５を収容し、後壁面に顧客用端末５のディスプレイ６の表示面が椅子３側に露出するように設置している。
顧客用端末５は、車検整備場のカメラまたはビデオカメラから受信する車両の整備箇所の静止画または動画をディスプレイ６に表示することができる。また、ディスプレイ６には車両の模式図等を表示することもでき、顧客が部品の交換等の指示をタッチパネル操作で入力し、車検整備工場の受信端末に送信することができる。
顧客用端末５は、間仕切り壁４に収容する代わりに、薄型のディスプレイ６を間仕切り壁４の後壁面に掛けるようにしてもよい。
【００１８】
また、間仕切り壁４には顧客用端末５と並べてテレビモニター８を設置し、顧客が待ち時間にテレビを鑑賞したり、インターネットへ接続して各種サイトを閲覧することもできるようにしている。
その他の実施例として、テレビモニターを設置する代わりに、間仕切り壁４に顧客用端末５のディスプレイ６を２つ設置して、ディスプレイ６の一方には顧客が部品交換等を決定する際に車検整備工場への指示を入力、確認するための情報を表示し、他方には部品を交換した箇所の画像や交換しなかった際の問題点等の車両の情報を表示することもできる。
【００１９】
間仕切り壁４は、内部を空洞にして、下部に顧客用端末５の制御用の本体９を収容しているとともに、後壁面の上部に開口を形成して顧客用端末５のディスプレイ６およびテレビモニター８を設置する。
また、間仕切り壁４は十分な高さ及び幅に設定され、椅子３に着座した顧客から、前隣りの顧客待機ユニット２のディスプレイ６を遮蔽するようになっている。
さらに、間仕切り壁４のディスプレイ６の設置位置の下方からは、板材からなる作業台１０が後方へ張り出されて、顧客が各種作業を行ったり、車検の資料等を置いたりすることができるようになっている。
【００２０】
図１に示すように、間仕切り壁４の前壁面の下部には、蝶番によって開閉する扉１１が形成されており、この扉１１を開けて、顧客用端末５のメンテナンスを行ったり、交換を行ったりすることができる。
また、図２に示すように、間仕切り壁４の前壁面には椅子３が近接に据え付けられて、扉１１を隠している。そのため、扉１１によって間仕切り壁４の外観が損なわれることが防止されるとともに、顧客用端末５への悪戯も防止することができる。
間仕切り壁４の前壁面の下部には、扉１１を設けずに単に開口を形成して、この開口を近接配置した椅子３で隠すようにしてもよい。なお、埃などの侵入を防ぐことができるため、扉１１を設けるほうがより望ましい。
【００２１】
なお、椅子３の配置は、前方の間仕切り壁４を視認可能な位置であれば特に限定されないが、本実施形態のように間仕切り壁４と対向するように配置すれば、後ろ隣りの間仕切り壁４の扉１１を隠すことができ、美観を損なうことがないため、望ましい。
【００２２】
以上のような車検顧客待合設備では、間仕切り壁４の後壁面に顧客用端末５を設置したことにより、顧客用端末５を設置する机等を独立に設ける必要がなくなり、省スペース化を図ることができるとともに、顧客用端末５のディスプレイ６を大型化することができる。
また、間仕切り壁４によって、椅子３に着座した顧客から、前隣りの顧客待機ユニット２のディスプレイ６が遮蔽されることにより、顧客が車両の故障情報等を他の顧客に知られてしまうことを防止することができる。
【００２３】
さらに、椅子を後ろ隣りの顧客待機ユニット２の間仕切り壁４に近接させて据え付けたことにより、椅子３後方のデッドスペースをなくして顧客待機ユニット２の省スペース化を図ることができるとともに、間仕切り壁４の後壁面に扉１１等を設けた場合にも扉１１を椅子３によって隠すことができて、車検顧客待合設備１の外観を向上させることができる。
【符号の説明】
【００２４】
１  車検顧客待合設備
２  顧客待機ユニット
３  椅子
４  間仕切り壁
５  顧客用端末
６  ディスプレイ
７  側壁
８  テレビモニター
９  （顧客用端末）本体
１０  作業台
１１  扉
【図１】
0005878332.tif 000002
【図２】
0005878332.tif 000003